(57)【要約】【課題】茶の成分を抽出させると共に、この茶碗などの容器内へ茶を簡単に散乱させることができるティーバッグを提供する。【解決手段】包装体１の内部に第一の茶２を収容して、液５中において茶の成分を抽出するティーバッグＡにあって、包装体の外周部に、包装体内部の第一の茶２とは別に第二の茶２ａを保持する保持体３を設けて、保持体は、易離脱手段７により包装体に取り付けられ、該易離脱手段による前記保持体の分離時に該保持体により保持された茶を、茶碗などの容器内への包装体内部の茶の抽出時に容器内へ散乱させる。【選択図】　　図１
2004135791.tif 000002
【特許請求の範囲】
【請求項１】
包装体の内部に第一の茶を収容して、液中において前記第一茶の成分を抽出するティーバッグにあって、
前記包装体の外周部に、前記包装体内部の第一の茶とは別に第二の茶を保持する保持体を設けて、該保持体内に前記第二の茶を保持させたことを特徴とするティーバッグ。
【請求項２】
保持体は、易離脱手段により包装体に取り付けられ、該易離脱手段による前記保持体の分離時に該保持体により保持された第二の茶を、茶碗などの容器内への前記包装体内部の第一の茶の抽出時に前記容器内へ散乱させたことを特徴とする請求項１記載のティーバッグ。
【請求項３】
保持体は、包装体の一部を折曲させて、その折曲端部を易離脱手段により前記包装体の外周部へ取り付けたことを特徴とする請求項１または２記載のティーバッグ。
【請求項４】
包装体の内部に第一の茶を収容して、液中において前記第一の茶の成分を抽出するティーバッグにあって、
前記包装体の外周部に、前記包装体内部の第一の茶とは別に第二の茶を易離脱手段により保持させたことを特徴とするティーバッグ。
【発明の詳細な説明】
【０００１】
【産業上の利用分野】
本発明は、茶の成分を抽出させると共に、この茶碗などの容器内へ茶を散乱させることができるティーバッグに関する。
【０００２】
【従来の技術】
振り出し式のティーバッグ入りの茶は、お湯を注ぐだけで簡単にお茶を淹れることができるので、広く用いられている。
しかしながら、このティーバッグは、袋によって茶が外に出ないように包装されているので、内部茶が茶碗内に出ない反面、袋内の茶の有効成分がまだ残存している茶葉の摂取ができないので、充分に喫茶を楽しむことができないものであった。
【０００３】
特に、内部茶が茶碗内に出ないので、茶碗内には茶の抽出液のみで、視覚的に喫茶のための趣向に乏しく、喫茶の茶飯事にあって、吉事の前兆として喜ばれる茶柱の立つ、といった愉しみに欠けるものであった。
【０００４】
【発明が解決しようとする課題】
本発明は、前記した問題点を解決するためにみなされたもので、包装体の内部に第一の茶を収容して、液中において前記第一の茶の成分を抽出するティーバッグにあって、前記包装体の外周部に、前記包装体内部の第一の茶とは別に第二の茶を保持する保持体を設けて、保持体は、易離脱手段により包装体に取り付けられ、該易離脱手段による前記保持体の分離時に該保持体により保持された第二の茶を、茶碗などの容器内への前記包装体内部の第一の茶の抽出時に前記容器内へ散乱させることにより、茶の成分を抽出させると共に、この茶碗などの容器内へ茶を簡単に散乱させることができるティーバッグを提供することを目的としている。
【０００５】
【課題を解決するための手段】
前記した目的を達成するための本発明の手段は、
包装体の内部に第一の茶を収容して、液中において前記第一の茶の成分を抽出するティーバッグにあって、
前記包装体の外周部に、前記包装体内部の第一の茶とは別に第二の茶を保持する保持体を設けて、該保持体内に前記第二の茶を保持させたティーバッグの構成にある。
【０００６】
保持体は、易離脱手段により包装体に取り付けられ、該易離脱手段による前記保持体の分離時に該保持体により保持された第二の茶を、茶碗などの容器内への前記包装体内部の第一の茶の抽出時に前記容器内へ散乱させる。
【０００７】
保持体は、包装体の一部を折曲させて、その折曲端部を易離脱手段により前記包装体の外周部へ取り付ける。
【０００８】
包装体の内部に第一の茶を収容して、液中において前記第一の茶の成分を抽出するティーバッグにあって、
前記包装体の外周部に、前記包装体内部の第一の茶とは別に第二の茶を易離脱手段により保持させる。
【０００９】
【実施例】
次に、本発明に関するティーバッグの一実施例を図面に基づいて説明する。
図１〜図６においてＡは、包装体１の内部に第一の茶２を収容して、茶碗などの容器４内に注がれた湯や水などの液５中において第一の茶２の成分を抽出するティーバッグであって、不織布等により成形された包装体１の外周部に、この包装体１内部の第一の茶２とは別に第二の茶２ａを保持する保持体３を設けて、該保持体３内に第二の茶２ａを保持させある。
なお、第一および第二の茶２，２ａは、緑茶が好ましいものであるが、ウーロン茶や紅茶等であっても構わない。
【００１０】
そして、その第一の実施例は、図１に示すように、包装体１の外周部、例えば、底部近傍においてポケット状に形成された保持体３をヒートシール等の慣用の接着手段により、上部を除いたその周縁部を固着してあり、前記上部は、第二の茶２ａの入れ出しを行う開口部３ａとしてある。
なお、包装体１の上部に吊り下げ用の紐６を取り付けておけば使用時便利であるが、なくてもよいものである。
【００１１】
したがって、このティーバッグＡを用いてお茶を淹れるときは、容器４内へ該ティーバッグＡを入れ、お湯を注げば、包装体１の内部に収容した第一の茶２の成分が包装体１から抽出され、お湯に溶け込んで茶飲料５となる。
このとき、包装体１を紐６などによりこのお湯の中で上下に揺らして振ると、この包装体１に付設した保持体３の開口部３ａから、図２に示すように、第二の茶２ａが湯５中に出るもので、抽出されたお茶を飲んで楽しむことができると共に、視覚により茶碗４内に浮いたこの第二の茶２ａを観察して愉しむことができる。
特に、この第二の茶２ａが茶柱であれば、偶然に湯５中に立ったときは、吉事の前兆として、また、別の観点から喫茶を楽しむことができる。
【００１２】
この保持体３における開口部３ａは、図３（ａ）に示すように該保持体３の両側部に設けたり、図３（ｂ）に示すように、包装体１をその上部を止め付け、下方を縦方向に対して環状に形成することで、該環状の内部に保持体３が形成されその両側部が開口部３ａとなるもので、この保持体３内に第二の茶２ａを保持させ、包装体１を振ったとき、開口部３ａからこの第二の茶２ａが出る構成となる。
【００１３】
図４においてＡは、本発明実施例の第二例のティーバッグを示すもので、この例は、保持体１が易離脱手段７により包装体１に取り付けられている。
すなわち、保持体１は、易離脱手段７による保持体３の包装体１の外周部からの分離時に、該保持体３により保持された第二の茶２ａを、茶碗などの容器４内への包装体１内部の第一の茶２の抽出時に容器３内へ散乱させる。
【００１４】
そして、この保持体１は、図４（ａ）に示すように、包装体１の一部を、例えば、底部において包装体１の外周部側へ折曲させて、その折曲端部８を易離脱手段７により包装体１の外周部へ取り付ける。
したがって、保持体１の上部は易離脱手段７により閉塞され、該保持体１の両側部は第二の茶２ａの流通が行える開口部３ｃ，３ｃとなっていて、この保持体１内部は第二の茶２ａを保持し得る収容部となっている。
なお、この開口部３ｃ，３ｃは易離脱手段７によって閉塞されていても構わない。
【００１５】
また、前記した易離脱手段７は、容器４内の液５中において、容易に包装体１の外周部と保持体３の折曲端部８とが分離できる手段であれば任意のものが用いられるもので、例えば、液５の温度で接着性を失うものや、第一の茶２の抽出液５の引用を妨げない水や湯に溶けやすい糊状のものなどが適宜選定される。
【００１６】
したがって、この例によれば、第一の茶２の抽出にあって、包装体１を紐６などによりこのお湯の中で上下に揺らして振ると、この包装体１に設けた保持体３の易離脱手段７が作用して、該易離脱手段７が設けられた保持体３の折曲端部８が包装体１の外周部から剥がれ、図４（ｂ）に示すように、保持体３の内部を開放するので、該保持体３の内部に保持させた第二の茶２ａが湯５中に出るもので、抽出されたお茶を飲んで楽しむことができると共に、視覚により茶碗４内に浮いたこの第二の茶２ａを観察して愉しむことができる。
【００１７】
この易離脱手段７は、図５に示すように、保持体３における両側の終端部に設け、該保持体３の上部３ｄは開放させた構成も用いられるもので、図５（ａ）に示す包装体１の外周部と保持体３との接着状態から、図５（ｂ）に示すように、保持体３が包装体１の底部において接合し、他の部分が開いた開放状態となることで、保持体３内の第二の茶２ａが液５中に放出される。
なお、包装体１は、図６に示すように、三角錐状に形成されたものや四角形等であってもよく、この包装体１の外形状は限定されない。また、易離脱手段７はラベル状に形成されたものでもよい。
【００１８】
図７においてＡは、本発明における第三の実施例を示すティーバッグで、包装体１の内部に第一の茶２を収容して、液５中において前記第一の茶２の成分を抽出するティーバッグＡにあって、包装体１の外周部に、該包装体１内部の第一の茶２とは別に第二の茶２ａを易離脱手段７により保持させた構成のものである。この易離脱手段７は、前記した例において用いた易離脱手段７と同様の手段が採用できるもので、例えば、液５の温度で接着性を失うものや、第一の茶２の抽出液５の飲用を妨げない水や湯に溶けやすい糊状のものなどが適宜選定される。
【００１９】
したがって、この例によれば、第一の茶２の抽出にあって、包装体１を紐６などによりこのお湯の中で上下に揺らして振ると、この包装体１に設けた保持体３の易離脱手段７が作用して、保持させた第二の茶２ａが包装体１の外周部と分離して該第二の茶２ａが湯５中に出るもので、これにより、抽出されたお茶を飲んで楽しむことができると共に、視覚により茶碗４内に浮いたこの第二の茶２ａを観察して愉しむことができる。
【００２０】
【発明の効果】
本発明に係るティーバッグは、茶の抽出時にあって、包装体の外側部に設けた保持体から茶が出て、容器内に散乱するため、抽出液と一緒にのむことで、茶の有効成分を摂取することができると共に、容器内に浮かんだ茶を見ながら茶湯を愉しむことで、喫茶の趣が一層向上する。
【図面の簡単な説明】
【図１】本発明に係る第一の実施例のティーバッグを示すもので、（ａ）は一部を破断した斜視図、（ｂ）は保持体部の要部を示す断面図である。
【図２】図１におけるティーバックの使用状態を示す説明図である。
【図３】図１におけるティーバックの他の例を示す一部を破断した斜視図である。
【図４】本発明に係る第二の実施例のティーバッグを示すもので、（ａ）は一部を破断した使用前の斜視図、（ｂ）は一部を破断した使用後の斜視図である。
【図５】図４におけるティーバックの他の例を示すもので、（ａ）は一部を破断した使用前の斜視図、（ｂ）は一部を破断した使用後の斜視図である。
【図６】図４におけるティーバックの更に他の例を示す一部を破断した斜視図である。
【図７】本発明に係る第三の実施例のティーバッグを示すもので、（ａ）は一部を破断した斜視図、（ｂ）は茶の取付状態の要部を示す断面図である。
【符号の説明】
１…包装体．２…第一の茶．２ａ…第二の茶．３…保持体．４…容器．５…液．７…易離脱手段
【図１】
2004135791.tif 000003
【図２】
2004135791.tif 000004
【図３】
2004135791.tif 000005
【図４】
2004135791.tif 000006
【図５】
2004135791.tif 000007
【図６】
2004135791.tif 000008
【図７】
2004135791.tif 000009